(57)【特許請求の範囲】
【請求項１】
２チャンネルの音声チャンネルとともにデータチャンネルを設定しうる無線通信端末が、接続先の端末ごとに少なくとも１チャンネルの音声チャンネルおよびデータチャンネルを通じて接続することにより、少なくとも３台の端末を縦続接続して相互に通話を行ないうる無線通信端末であって、
前記の音声チャンネルおよびデータチャンネルを通じて、音声信号およびデータ信号を接続先の端末との間でそれぞれ送受する無線通信部と、
前記相互通話のための、音声信号の受話とともに送話を行なう送受話部と、
前記の無線通信部と送受話部との間に介装され、前記縦続接続をなす端末間において設定された所定の通話モードに基づいて、該送受話部にて受話する音声信号である受話信号を加算生成するとともに、該無線通信部を通じて他の無線通信端末に送出すべき送信音声信号を加算生成する加算生成処理部と、
をそなえ、
該加算生成処理部が、
前記縦続接続された他の一端末から前記データチャンネルを通じて通知された、端末識別情報としての端末番号および送受話加算パターン識別情報としての端末情報を有する設定制御情報に基づいて、前記通話モードを変更する設定制御部をそなえて構成されたことを特徴とする、無線通信端末。
【請求項２】
該加算生成処理部が、
該無線通信部との間の前記２チャンネルの音声信号のインターフェイス処理を行なうインターフェイス処理部と、
該送受話部にて送話された音声信号を２チャンネルの音声信号に分離する送話音声分離部と、
該インターフェイス処理部からの前記２チャンネルの音声信号および該送話音声分離部からの音声信号を用いた音声加算処理を行ない、チャンネル毎に受話用及び送信用の音声信号を加算生成する音声信号処理部と、
該音声信号処理部からの２チャンネルの受話用の音声信号について加算し、前記受話信号として該送受話部へ出力しうる受話音声加算部と、
該音声信号処理部にて前記の受話用および送信用の音声信号を加算生成するための前記設定制御情報を予め記憶しておく記憶部とをそなえ、
該設定制御部が、
該記憶部にて記憶された設定制御情報に基づき、所定の通話モードで前記音声通話を行なうべく該音声信号処理部を設定制御するように構成されたことを特徴とする、請求項１記載の無線通信端末。
【請求項３】
該設定制御部が、前記の送話，受話および他の端末間通信における中継を行なう音声チャンネルの設定を前記通話モードとして設定制御することにより、前記の縦続接続をなす他の端末毎に、前記の送話および受話が可能な態様，送話のみが可能な態様，受話のみが可能な態様，または送話および受話を不可とする態様のいずれかの態様の設定とすべく構成されていることを特徴とする、請求項１又は２に記載の無線通信端末。
【請求項４】
該設定制御部が、前記縦続接続された各端末の設定制御部における設定制御情報を、前記データチャンネルを通じて前記縦続接続をなす他の端末に対して通知する設定制御情報通知部をそなえて構成されたことを特徴とする、請求項１又は２に記載の無線通信端末。
【発明の詳細な説明】
【０００１】
【発明の属する技術分野】
本発明は、特に３端末以上の相互通話を行なう際に用いて好適の、無線通信端末に関するものである。
【０００２】
【従来の技術】
従来より、無線通信端末間において無線ＬＡＮ（Local Area Network）を構成するために、Bluetooth（登録商標）方式を搭載した無線通信端末が開発されている。周知のごとく、このBluetooth方式を採用した無線通信端末間では、無線通信端末とは別に設けられたサーバ等のセンタ装置や中継装置を介在させずに音声信号の送受信を行なうことができるようになっている。
【０００３】
従来においては、サーバまたはセンタ装置に収容された無線通信端末間で音声会議を行なう場合には、サーバ（センタ装置）や中継装置において会議招集の設定や会議参加者の設定、音声加算処理を行なう技術については開発されているが、上述の無線ＬＡＮのごとくサーバ等を介在させずに３つ以上の端末が接続された場合において、接続された無線通信端末間において音声会議（３端末以上が接続された状態において通話を行なうこと）を行なうためには、会議の態様に応じた音声加算処理や、会議召集のための設定等が必要となってくる。尚、無線端末を使用した通信システムとしては、例えば特開２００１−１４８６５７号公報に記載された技術（車両用無線通信システム）がある。
【０００４】
【発明が解決しようとする課題】
しかしながら、上述の特開２００１−１４８６５７号公報に記載された装置は、中継装置で無線端末の情報を再送出する構成となっており、無線通信端末間での音声会議を行なうためには、別途中継装置を設ける必要が生じるという課題がある。
【０００５】
さらに、無線通信端末を用いた音声会議の利便性を向上させるためにも、会議に参加する端末間において、会議の形式に応じて個別に送受話を規制する態様も求められる。
本発明は、このような課題に鑑み創案されたもので、サーバ等のセンタ装置や中継装置を介在させずに、音声会議を行なうことができるようにし、更には、会議の形式に応じて個別に送受話を規制できるようにして、音声会議の利便性を向上できるようにした、無線通信端末を提供することを目的とする。
【０００６】
【課題を解決するための手段】
このため、本発明の無線通信端末は、２チャンネルの音声チャンネルとともにデータチャンネルを設定しうる無線通信端末が、接続先の端末ごとに少なくとも１チャンネルの音声チャンネルおよびデータチャンネルを通じて接続することにより、少なくとも３台の端末を縦続接続して相互に通話を行ないうる無線通信端末であって、前記の音声チャンネルおよびデータチャンネルを通じて、音声信号およびデータ信号を接続先の端末との間でそれぞれ送受する無線通信部と、前記相互通話のための、音声信号の受話とともに送話を行なう送受話部と、前記の無線通信部と送受話部との間に介装され、前記縦続接続をなす端末間において設定された所定の通話モードに基づいて、該送受話部にて受話する音声信号である受話信号を加算生成するとともに、該無線通信部を通じて他の無線通信端末に送出すべき送信音声信号を加算生成する加算生成処理部と、をそなえ、この加算生成処理部が、前記縦続接続された他の一端末から前記データチャンネルを通じて通知された、端末識別情報としての端末番号および送受話加算パターン識別情報としての端末情報を有する設定制御情報に基づいて、前記通話モードを変更する設定制御部をそなえて構成されたことを特徴としている。
【０００７】
また、該加算生成処理部を、該無線通信部との間の前記２チャンネルの音声信号のインターフェイス処理を行なうインターフェイス処理部と、該送受話部にて送話された音声信号を２チャンネルの音声信号に分離する送話音声分離部と、該インターフェイス処理部からの前記２チャンネルの音声信号および該送話音声分離部からの音声信号を用いた音声加算処理を行ない、チャンネル毎に受話用及び送信用の音声信号を加算生成する音声信号処理部と、該音声信号処理部からの２チャンネルの受話用の音声信号について加算し、前記受話信号として該送受話部へ出力しうる受話音声加算部と、該音声信号処理部にて前記の受話用および送信用の音声信号を加算生成するための前記設定制御情報を予め記憶しておく記憶部と、をそなえて構成し、さらに、前記設定制御部を、該記憶部にて記憶された設定制御情報に基づき、所定の通話モードで前記音声通話を行なうべく該音声信号処理部を設定制御するように構成してもよい。
【０００８】
さらに、好ましくは、該設定制御部を、前記の送話，受話および他の端末間通信における中継を行なう音声チャンネルの設定を前記通話モードとして設定制御することにより、前記の縦続接続をなす他の端末毎に、前記の送話および受話が可能な態様，送話のみが可能な態様，受話のみが可能な態様，または送話および受話を不可とする態様のいずれかの態様の設定とすべく構成してもよい。
【０００９】
また、該設定制御部を、前記縦続接続された各端末の設定制御部における設定制御情報を、前記データチャンネルを通じて前記縦続接続をなす他の端末に対して通知する設定制御情報通知部をそなえて構成してもよい。
【００１０】
【発明の実施の形態】
以下、図面を参照することにより、本発明の実施の形態を説明する。
〔Ａ〕本実施形態にかかる無線通信端末および無線通信システムの概略構成の説明
図１は本発明の一実施形態にかかる無線通信端末を適用した無線通信システムとしての無線ＬＡＮを示す図であり、この図１に示す無線ＬＡＮ１０は、少なくとも２チャンネル（本実施形態においてはチャンネル♯０およびチャンネル♯１の２つのチャンネル）の音声チャンネルとデータチャンネルとを設定しうる無線通信端末１０Ａ〜１０Ｃを、例えば３台縦続接続（カスケード接続）してなるものであって、個々の無線通信端末１０Ａ〜１０Ｃの特徴的な構成により、所定の音声会議の形式を設定して通話を行なうことができるようになっている。
【００１１】
ここで、各無線通信端末（以下においては単に端末と記載する場合がある）１０Ａ〜１０Ｃは、無線通信モジュール１および送受話部３をそなえるとともに、本願発明の特徴的な構成を有する音声加算部２をそなえて構成されている。
ここで、無線通信モジュール（無線通信部）１は、少なくとも１チャンネルの音声チャンネルおよびデータチャンネルを通じて各接続先の端末を接続して、例えばBluetooth等の規格により無線信号を送受しうるもので、前段の無線通信端末からのデータと音声を次段の無線通信端末に中継できる機能をそなえている。
【００１２】
すなわち、この無線通信モジュール１により、音声チャンネルおよびデータチャンネルを通じて、音声信号およびデータ信号を接続先の端末との間でそれぞれ送受するようになっており、これにより、縦続接続された無線ＬＡＮ１０を構成することができる。なお、本実施形態にかかる無線通信端末１０Ａ〜１０Ｃにおいては、無線通信モジュール１において送受する無線周波数信号として、２．４ＧＨｚ帯において周波数ホッピングのパターンにより２つの音声チャンネルおよびデータチャンネルが設定される。
【００１３】
さらに、加算生成処理部２は、後述の送受話部３にて受話する受話信号を加算生成するとともに、無線通信モジュール１を通じて他の無線通信端末に送出すべき送信音声信号を加算生成するものであり、詳細には後述の図５に示すような構成を有している。
また、送受話部３は、音声信号の受話および送話を行なうものであり、具体的には図５に示すように、加算生成処理部２にて加算生成された受話信号について図示しないスピーカ等を通じて音声として再生する受話部３０２をそなえるとともに、当該無線通信端末の使用者からの発声を図示しないマイク等で受けて電気信号として加算生成処理部２に出力する送話部３０１をそなえている。
【００１４】
これにより、例えば、後述する通話モードとして、端末１０Ｃにおいて端末１０Ａ，１０Ｂからの通話音声を聞くことができるように設定されている場合には、端末１０Ａでは、当該端末１０Ａの使用者から発せられた発言ａを加算生成処理部２および無線通信モジュール１を通じて端末１０Ｂに送信し、端末１０Ｂでは、発言ａと当該端末１０Ｂの使用者からの発言ｂとを加算生成処理部２にて加算し（ａ＋ｂ）、加算結果を無線通信モジュール１を通じて端末１０Ｃに送信する。
【００１５】
同様に、通話モードとして、端末１０Ａにおいて端末１０Ｂ，１０Ｃからの通話音声を聞くことができるように設定されている場合には、端末１０Ｃでは、加算生成処理部２および無線通信モジュール１を通じて当該端末１０Ｃの使用者からの発言ｃを端末１０Ｂに送信し、端末１０Ｂでは、発言ｃと当該使用者からの発言ｂとを加算生成処理部２にて加算し（ｂ＋ｃ）、加算結果を無線通信モジュール１を通じて端末１０Ａに送信する。
【００１６】
このようにして成立する音声会議においては、端末１０Ａでは、端末１０Ｂ，１０Ｃからの発言（ｂ＋ｃ）を受話し、端末１０Ｂでは、端末１０Ａ，１０Ｃからの発言（ａ＋ｃ）を受話し、端末１０Ｃでは、端末１０Ａ，１０Ｂからの発言（ａ＋ｂ）を受話することができるようになっている。
なお、本実施形態にかかる各無線通信端末１０Ａ〜１０Ｃにおいては、後述する加算生成処理部２の構成によって、会議の形式に応じて個別に送受話を規制することができるようになっており、これにより、各無線通信端末１０Ａ〜１０Ｃが相互に通話を行なう態様以外の態様で、音声会議を行なうことができる。
【００１７】
〔Ｂ〕本実施形態の無線通信システムにおける音声会議形式の説明
ついで、本実施形態における無線ＬＡＮ１０において実現する音声会議形式の態様について図２〜図４を用いて説明する。即ち、図２〜図４はいずれも本実施形態の無線ＬＡＮ１０における音声会議形式の態様について、各無線通信端末１０Ａ〜１０Ｃの音声チャンネルを通じて送受される音声信号に着目して模式的に示す図である。
【００１８】
本実施形態にかかる無線ＬＡＮ１０を構成する各無線通信端末１０Ａ〜１０Ｃの加算生成処理部２の構成によって、これらの図２〜図４に示すような音声会議の態様で通話を行なうことができるようになっている。
なお、図２〜図４中、端末１０Ａ〜１０Ｃはそれぞれ送受話部３を構成する送話部３０１Ａ〜３０１Ｃおよび受話部３０２Ａ〜３０２Ｃをそなえるとともに、端末１０Ａと端末１０Ｂとの間は、第１の音声チャンネル３１を介して接続され、端末１０Ｂと端末１０Ｃとの間は、第２の音声チャンネル３２を介して接続されている。また、前述の図１の場合と同様、端末１０Ａの使用者から発せられた発言をａ、端末１０Ｂの使用者から発せられた発言をｂ、端末１０Ｃの使用者から発せられた発言をｃと表記している。
【００１９】
〔Ｂ−１〕第１の態様にかかる音声会議形式の説明
図２に示す第１の態様にかかる音声会議形式においては、端末１０Ａでは、第１の音声チャンネル３１を通じて受信された、端末１０Ｂおよび端末１０Ｃからの音声信号ｂ，ｃについて加算された信号ｂ＋ｃを受話部３０２Ａにて受話するとともに、送話部３０１Ａにて送話された音声信号ａを、端末１０Ｂに対し音声チャンネル３１を通じて送信する。
【００２０】
同様に、端末１０Ｂでは、第１の音声チャンネル３１を通じて受信された端末１０Ａからの受信音声信号ａと第２の音声チャンネル３２を通じて受信された端末１０Ｃからの受信音声信号ｃとが加算された音声信号ａ＋ｃを受話部３０２Ｂにて受話する一方、音声チャンネル３１を通じて受信された端末１０Ａからの受信音声信号ａと送話部３０１Ｂにて送話された音声信号ｂとを端末１０Ｃに対して、音声チャンネル３２を通じて送信するとともに、送話部３０１Ｂにて送話された音声信号ｂと音声チャンネル３２を通じて受信された端末１０Ｃからの受信音声信号ｃとを端末１０Ａに対して、音声チャンネル３１を通じて送信するようになっている。
【００２１】
さらに、端末１０Ｃでは、端末１０Ａおよび端末１０Ｂからの音声信号について加算された音声信号ａ＋ｂを第２の音声チャンネル３２を通じて受信し、受話部３０２Ｃにて受話するとともに、送話部３０１Ｃにて送話された音声信号ｃを、端末１０Ｂに対し音声チャンネル３２を通じて送信する。
すなわち、この図２に示す音声会議形式においては、端末１０Ａ〜１０Ｃを使用する３者間において、相互に通話（送受話）を行なっている。換言すれば、いずれの端末の使用者においても、他の２者からの発言を受話するとともに、他の２者に対して送話することができる。換言すれば、端末１０Ａは、端末１０Ｂ，１０Ｃの音声受話が可能であり、同様に端末１０Ｂは端末１０Ａ，１０Ｃの音声受話、端末１０Ｃは端末１０Ａ，１０Ｂの音声受話ができることで、端末１０Ａ〜１０Ｃは会議通話動作が可能となるのである。
【００２２】
なお、図２中、４１は端末１０Ｂの受話部３０２Ｂにて受話される音声信号ａとｃとを加算する加算機能部、４２は音声チャンネル３１を通じて送出される音声信号ｂとｃとを加算する加算機能部、４３は音声チャンネル３２を通じて送出される音声信号ａとｂとを加算する加算機能部である。
〔Ｂ−２〕第２の態様にかかる音声会議形式の説明
図３に示す第２の態様にかかる音声会議形式においては、端末１０Ａおよび端末１０Ｂの音声信号の送受信態様は図２の場合とほぼ同様であるが、端末１０Ｃの送受信態様が異なる。即ち、端末１０Ｃでは、端末１０Ｂからの音声信号ｂを第２の音声チャンネル３２を通じて受信し、受話部３０２Ｃにて受話するとともに、送話部３０１Ｃにて送話された音声信号ｃを端末１０Ｂに対し、音声チャンネル３２を通じて送信する。
【００２３】
すなわち、この図３に示す音声会議形式においては、端末１０Ａ，１０Ｂ間及び端末１０Ｂ，１０Ｃ間の通話が可能であるとともに、端末１０Ａにおいては端末１０Ｃの使用者からの発言を受話（モニタ）することが可能になっている。ただし、端末１０Ｃの使用者は、端末１０Ａの使用者からの発言を受話することができないように設定されている。
【００２４】
なお、図３中、４１は端末１０Ｂの受話部３０２Ｂにて受話される音声信号ａとｃとを加算する加算機能部、４２は音声チャンネル３１を通じて送出される音声信号ｂとｃとを加算する加算機能部であって、端末１０Ｂを図３に示すような態様で使用する場合には、図２の符号４３で示す加算機能部としての機能は働かないことになる。
【００２５】
〔Ｂ−３〕第３の態様にかかる音声会議形式の説明
図４に示す第３の態様にかかる音声会議形式においては、端末１０Ａでは、第１の音声チャンネル３１を通じて受信された、端末１０Ｃからの音声信号ｃについて受信し受話部３０２Ａにて受話するとともに、送話部３０１Ａにて送話された音声信号ａを、端末１０Ｂに対し音声チャンネル３１を通じて送信する。
【００２６】
さらに、端末１０Ｃでは、端末１０Ａから端末１０Ｂをスルーしてきた音声信号ａについて第２の音声チャンネル３２を通じて受信して受話部３０２Ｃにて受話するとともに、送話部３０１Ｃにて送話された音声信号ｃを、端末１０Ｂに対し音声チャンネル３２を通じて送信する。その後、この音声信号ｃは端末１０Ｂをスルーする。
【００２７】
すなわち、この図４に示す音声会議形式においては、端末１０Ａと端末１０Ｃとの間において、端末１０Ｂを中継することにより通話を行なうことができるが、端末１０Ｂでは、他のいずれの端末１０Ａ，１０Ｃとの間においても送話も受話も行なわないように設定されている。
〔Ｃ〕本実施形態にかかる無線通信端末の詳細な構成についての説明
ついで、本実施形態にかかる無線通信端末１０Ａ〜１０Ｃの詳細な構成について図５，図６を用いて説明する。
【００２８】
まず、無線通信モジュール１は、例えば図５に示すように、他の無線通信端末との間で無線信号の送受を行なう無線周波数部としてのＲＦ（Radio Frequency）部１０１をそなえるとともに、ベースバンド信号部１０２，ホストコントローラインタフェース１０３および音声信号部１０４をそなえて構成されている。
ベースバンド信号部（ベースバンド層）１０２は、ＲＦ部１０１にて受信された無線信号について例えばBluetoothの規格に従った公知のベースバンド信号処理を施すもので、データチャンネルの信号についてはホストコントローラインタフェース１０３に出力し、音声チャンネルの信号については音声信号部（音声層）１０４に出力する。更には、ホストコントローラインタフェース１０３からデータチャンネルを通じて送出すべきデータ信号と、音声信号部１０４から音声チャンネル（０チャンネルまたは１チャンネル）を通じて送出すべき音声信号とについて、公知のベースバンド信号処理を施して、それぞれのチャンネルを通じてＲＦ部１０１を介して無線信号として送出する。
【００２９】
また、加算生成処理部２は、制御部２０１，チャンネル変換部２０２，第１切替設定部２０３，第２切替設定部２０４，第１音声信号処理部２０５，第２音声信号処理部２０６，受話音声加算部２０７，メモリ２０８および送話音声分離部２０９をそなえて構成され、送受話部３は、加算生成処理部２からの受話信号について受話する受話部３０２および当該端末使用者からの発言を送話音声信号として加算生成処理部２に出力する（送話する）送話部３０１をそなえて構成されている。
【００３０】
ここで、制御部２０１は、ホストコントローラインタフェース１０３との間でデータチャンネルの信号を送受しながら、メモリ２０８に記憶された制御情報としてのデータに基づいて第１切替設定部２０３および第２切替設定部２０４における設定を制御するとともに、設定制御情報通知部２０１ａおよび変更部２０１ｂとしての機能をも有している。
【００３１】
すなわち、設定制御情報通知部２０１ａは、縦続接続された各端末１０Ａ〜１０Ｃの第１，第２切替設定部２０３，２０４における設定制御情報を、データチャンネルを通じて縦続接続をなす他の端末に対して通知するもので、変更部２０１ｂは、縦続接続された他の一端末の設定制御情報通知部２０１ａからデータチャンネルを通じて通知された設定制御情報に基づいて、当該端末の第１，第２切替設定部２０３，２０４にて設定制御されている通話モード変更するものである。
【００３２】
さらに、第１切替設定部２０３，第２切替設定部２０４はそれぞれ、制御部２０１からの制御を受けて、上述の図２〜図４に示すような音声会議を行なうための端末として動作するために、第１，第２音声信号処理部２０５，２０６について切替設定するものである。
換言すれば、上述の制御部２０１，第１切替設定部２０３，第２切替設定部２０４により、メモリ２０８にて記憶された設定制御情報に基づき、所定の通話モードで音声通話を行なうべく第１音声信号処理部２０５，第２音声信号処理部２０６を設定制御する設定制御部として機能する。
【００３３】
ここで、チャンネル変換部２０２は、無線通信モジュール１との間の２チャンネルの音声信号のインターフェイス処理を行なうもので、インターフェイス処理部として機能する。具体的には、後述する音声信号処理部２０５，２０６からの２チャンネルの送信音声信号について無線通信モジュール１における信号処理に適した信号に変換して無線通信モジュール１の音声信号部１０４に出力する一方、音声信号部１０４からの受信音声信号については音声信号処理部２０５，２０６における信号処理に適した信号に変換するものである。
【００３４】
また、送話音声分離部２０９は、送話部３０１にて送話された音声信号を２チャンネルの音声信号に分離するものであり、分離された音声信号はそれぞれ第１，第２音声信号処理部２０５，２０６に出力される。
また、第１音声信号処理部２０５は等価回路として切替スイッチ１１〜１４および加算器１５を、第２音声信号処理部２０６は等価回路として切替スイッチ２１〜２４および加算器２５を、それぞれそなえて構成されている。
【００３５】
すなわち、上述の第１切替設定部２０３，第２切替設定部２０４により、これらの切替スイッチ１１〜１４，２１〜２４をオンオフ設定することによって、上述の図２〜図４に示すような音声会議方式の態様で動作する端末の通話モードを設定することができるようになっている。
具体的には、切替スイッチ１１，１３，１４および加算部１５により、２チャンネルの音声信号のうちの第２の音声チャンネル３２を通じて送出すべき第２送信音声信号を加算生成する送信音声信号加算生成部２０５ａとしての機能を実現し、切替スイッチ１１，１２により、２チャンネルの音声信号のうちの第１の音声チャンネル３１を通じて受信された音声信号を送受話部３にて受話させるか否かを切り替える受話切替部２０５ｂとしての機能を実現する。
【００３６】
同様に、切替スイッチ２１，２３，２４および加算部２５により、２チャンネルの音声信号のうちの第１の音声チャンネル３１を通じて送出すべき第１送信音声信号を加算生成する送信音声信号加算生成部２０６ａとしての機能を実現し、切替スイッチ２１，２２により、２チャンネルの音声信号のうちの第２の音声チャンネル３２を通じて受信された音声信号を送受話部３にて受話させるか否かを切り替える受話切替部２０６ｂとしての機能を実現する。
【００３７】
したがって、上述の第１音声信号処理部２０５，第２音声信号処理部２０６は、チャンネル変換部２０２からの２チャンネルの音声信号および送話音声分離部２０９からの音声信号を用いた音声加算処理を行ない、チャンネル毎に受話用及び送信用の音声信号を加算生成する音声信号処理部として機能する。
また、受信音声加算部２０７は、第１，第２音声信号処理部２０５，２０６からの２チャンネルの受話の音声信号について加算し、受話信号として送受話部３の受話部３０２へ出力しうるものである。
【００３８】
また、メモリ２０８は、第１，第２音声信号処理部２０５，２０６にて受話用および送信用の音声信号の加算生成するための設定制御情報を予め記憶しておく記憶部として機能するものであるが、このメモリ２０８としては、詳細には図６に示すように、上述の第１，第２音声信号処理部２０５，２０６の切替スイッチ１１〜１４，２１〜２４を音声音声会議形式の態様に応じて切替設定するための情報を記憶するようになっている。
【００３９】
即ち、メモリ２０８は、図６に示すように、送信音声信号を加算生成するための加算パターンについて記憶する送話加算パターン記憶部２０８−１と、受話用の音声信号を加算生成するための加算パターンについて記憶する受話加算パターン記憶部２０８−２とをそなえて構成されて、受話用および送話用の音声信号の加算パターンを別々に管理している。
【００４０】
なお、図６中においては、送話加算パターン記憶部２０８−１および受話加算パターン記憶部２０８−２において記憶する送話信号の受話信号の加算パターンに関する情報を、前述の図２〜図４に示すものと同様に、各音声チャンネルを通じて送受される音声信号に着目して端末を模式的に示している。
換言すれば、送話加算パターン記憶部２０８−１および受話加算パターン記憶部２０８−２は、それぞれの加算パターンに応じて、第１，第２音声信号処理部２０５，２０６の切替スイッチ１１〜１４，２１〜２４のオンオフ設定情報について記憶しているのである。
【００４１】
具体的には、送話加算パターン記憶部２０８−１は７種類の加算パターン２０８Ａ〜２０８Ｇに応じた切替スイッチ１１〜１４，２１〜２４のオンオフ設定情報を記憶し、受話加算パターン記憶部２０８−２についても７種類の加算パターン２０８Ｈ〜２０８Ｎに応じた切替スイッチ１１〜１４，２１〜２４のオンオフ設定情報を記憶するようになっている。
【００４２】
ここで、送話加算パターン記憶部２０８−１が記憶する加算パターン２０８Ａは、加算機能部４２において、音声チャンネル３２からの音声信号と当該端末の送話部３０１からの音声信号とを加算することにより、音声チャンネル３１を通じて送信するための送信音声信号を加算生成するとともに、加算機能部４３において、音声チャンネル３１からの音声信号と当該端末の送話部３０１からの音声信号とを加算することにより、音声チャンネル３２を通じて送信するための送信音声信号を加算生成するものである。
【００４３】
このとき、加算パターン２０８Ａに対応するスイッチ制御情報として、図５に示す第２音声信号処理部２０６の切替スイッチ２１，２３，２４をスイッチオン状態とし、第１音声信号処理部２０５の切替スイッチ１１，１３，１４をスイッチオン状態とするような制御情報（例えばビット情報「１」）が記憶されている。これにより、加算部２５を加算パターン２０８Ａにおける加算機能部４２として動作させ、加算部１５を加算機能部４３として動作させることができる。
【００４４】
また、加算パターン２０８Ｂは、加算部４３において、音声チャンネル３１からの音声信号と当該端末の送話部３０１からの音声信号とを加算することにより、音声チャンネル３２を通じて送信するための送信音声信号を加算生成するものである。
このとき、加算パターン２０８Ｂに対応するスイッチ制御情報として、少なくとも第２音声信号処理部２０６の切替スイッチ２３，２４をスイッチオフ状態とするような制御情報（例えばビット情報「０」）とともに、第１音声信号処理部２０５の切替スイッチ１１，１３，１４をスイッチオン状態とするような制御情報（例えばビット情報「１」）が記憶されている。これにより、加算部１５を加算パターン２０８Ｂにおける加算機能部４３として動作させることができる。
【００４５】
さらに、加算パターン２０８Ｃは、加算機能部４２において、音声チャンネル３２からの音声信号と当該端末の送話部３０１からの音声信号とを加算することにより、音声チャンネル３１を通じて送信するための送信音声信号を加算生成するものである。
このとき、加算パターン２０８Ｃに対応するスイッチ制御情報として、第２音声信号処理部２０６の切替スイッチ２１，２３，２４をスイッチオン状態とするような制御情報とともに、少なくとも第１音声信号処理部２０５の切替スイッチ１３，１４をスイッチオフ状態とするような制御情報が記憶されている。これにより、加算部２５を加算パターン２０８Ｃにおける加算機能部４２として動作させることができる。
【００４６】
また、加算パターン２０８Ｄは、当該端末の送話部３０１からの音声信号のみを音声チャンネル３２を通じて送信するための送信音声信号を加算生成するものである。この加算パターン２０８Ｄに対応するスイッチ制御情報としては、切替スイッチ１４をスイッチオン状態とするような制御情報とともに、少なくとも切替スイッチ１３，２３，２４をスイッチオフ状態とするような制御情報が記憶されている。
【００４７】
さらに、加算パターン２０８Ｅは、当該端末の送話部３０１からの音声信号のみを音声チャンネル３１を通じて送信するための送信音声信号を加算生成するものである。この加算パターン２０８Ｅに対応するスイッチ制御情報としては、切替スイッチ２４をスイッチオン状態とするような制御情報とともに、少なくとも切替スイッチ１３，１４，２３をスイッチオフ状態とするような制御情報が記憶されている。
【００４８】
また、加算パターン２０８Ｆは、加算機能部４２において、音声チャンネル３２からの音声信号と当該端末の送話部３０１からの音声信号とを加算することにより、音声チャンネル３１を通じて送信するための送信音声信号を加算生成するとともに、当該端末の送話部３０１からの音声信号について音声チャンネル３２を通じて送信するための送信音声信号を加算生成するものである。
【００４９】
このとき、加算パターン２０８Ｆに対応するスイッチ制御情報として、第２音声信号処理部２０６の切替スイッチ２１，２３，２４をスイッチオン状態と、第１音声信号処理部２０５の切替スイッチ１４をスイッチオン状態とするような制御情報とともに、少なくとも第１音声信号処理部２０５の切替スイッチ１３をスイッチオフ状態とするような制御情報が記憶されている。これにより、加算部２５を加算パターン２０８Ｃにおける加算機能部４２として動作させることができる。
【００５０】
さらに、加算パターン２０８Ｇは、音声チャンネル３２からの音声信号について、音声チャンネル３１を通じて中継送信するための送信音声信号を加算生成するものである。この加算パターン２０８Ｇに対応するスイッチ制御情報としては、切替スイッチ２１，２３をスイッチオン状態とするような制御情報とともに、少なくとも切替スイッチ１３，１４，２４をスイッチオフ状態とするような制御情報が記憶されている。
【００５１】
また、受話加算パターン記憶部２０８−２が記憶する加算パターン２０８Ｈは、加算機能部４１において、音声チャンネル３１および音声チャンネル３２を通じて受信された音声信号を加算することにより受話信号を加算生成するとともに、音声チャンネル３１からの音声信号を音声チャンネル３２を通じて中継送信し、音声チャンネル３２からの音声信号を音声チャンネル３１を通じて中継送信するものである。
【００５２】
このとき、加算パターン２０８Ｈに対応するスイッチ制御情報として、図５に示す第２音声信号処理部２０６の切替スイッチ２１〜２３をスイッチオン状態とし、第１音声信号処理部２０５の切替スイッチ１１〜１３をスイッチオン状態とするような制御情報が記憶されている。これにより、受話音声加算部２０７を加算パターン２０８Ｈにおける加算機能部４１として動作させることができる。
【００５３】
さらに、加算パターン２０８Ｉは、音声チャンネル３２を通じて受信された音声信号のみを受話させるように受話信号を加算生成するとともに、音声チャンネル３２からの音声信号を音声チャンネル３１を通じて中継送信するものである。この加算パターン２０８Ｉに対応するスイッチ制御情報として、切替スイッチ２１〜２３をスイッチオン状態とし、少なくとも切替スイッチ１２をスイッチオフ状態とするような制御情報が記憶されている。
【００５４】
また、加算パターン２０８Ｊは、音声チャンネル３１を通じて受信された音声信号のみを受話させるように受話信号を加算生成するとともに、音声チャンネル３１からの音声信号を音声チャンネル３２を通じて中継送信するものである。この加算パターン２０８Ｊに対応するスイッチ制御情報として、切替スイッチ１１〜１３をスイッチオン状態とし、少なくとも切替スイッチ２２をスイッチオフ状態とするような制御情報が記憶されている。
【００５５】
さらに、加算パターン２０８Ｋは、音声チャンネル３２を通じて受信された音声信号のみを受話させるように受話信号を加算生成するものである。この加算パターン２０８Ｋに対応するスイッチ制御情報として、切替スイッチ２１，２２をスイッチオン状態とし、少なくとも切替スイッチ１２，２３をスイッチオフ状態とするような制御情報が記憶されている。
【００５６】
また、加算パターン２０８Ｌは、音声チャンネル３１を通じて受信された音声信号のみを受話させるように受話信号を加算生成するものである。この加算パターン２０８Ｌに対応するスイッチ制御情報として、図５に示す第１音声信号処理部２０５の切替スイッチ１１，１２をスイッチオン状態とし、少なくとも切替スイッチ１３，２２をスイッチオフ状態とするような制御情報が記憶されている。
【００５７】
さらには、加算パターン２０８Ｍは、加算機能部４１において、音声チャンネル３１および音声チャンネル３２を通じて受信された音声信号を加算することにより受話信号を加算生成するとともに、音声チャンネル３２からの音声信号を音声チャンネル３１を通じて中継送信するものである。
このとき、加算パターン２０８Ｍに対応するスイッチ制御情報として、図５に示す切替スイッチ１１，１２，２１〜２３をスイッチオン状態とし、切替スイッチ１３をスイッチオフ状態とするような制御情報が記憶されている。これにより、受話音声加算部２０７を加算パターン２０８Ｈにおける加算機能部４１として動作させることができる。
【００５８】
さらに、加算パターン２０８Ｎは、音声チャンネル３１からの音声信号について、音声チャンネル３２を通じて中継送信するための送信音声信号を加算生成するものである。この加算パターン２０８Ｎに対応するスイッチ制御情報としては、切替スイッチ１１，１３をスイッチオン状態とするような制御情報とともに、少なくとも切替スイッチ１２，２２をスイッチオフ状態とするような制御情報が記憶されている。
【００５９】
なお、前述の図２に示す態様の音声会議を行なう場合には、端末１０Ａの第１，第２音声信号処理部２０５，２０６における切替スイッチ１１〜１４，２１〜２４は、メモリ２０８に記憶された加算パターン２０８Ｄ，２０８Ｋの制御情報に基づいて第１，第２切替設定部２０３，２０４で設定制御される。同様に、端末１０Ｂの切替スイッチ１１〜１４，２１〜２４は、加算パターン２０８Ａ，２０８Ｈに基づいて設定制御され、端末１０Ｃの切替スイッチ１１〜１４，２１〜２４は、加算パターン２０８Ｅ，２０８Ｌに基づいて設定制御される。
【００６０】
また、図３に示す態様の音声会議を行なう場合には、端末１０Ａの第１，第２音声信号処理部２０５，２０６における切替スイッチ１１〜１４，２１〜２４は、メモリ２０８に記憶された加算パターン２０８Ｄ，２０８Ｋの制御情報に基づいて第１，第２切替設定部２０３，２０４で設定制御される。同様に、端末１０Ｂの切替スイッチ１１〜１４，２１〜２４は、加算パターン２０８Ｆ，２０８Ｍに基づいて設定制御され、端末１０Ｃの切替スイッチ１１〜１４，２１〜２４は、加算パターン２０８Ｅ，２０８Ｌに基づいて設定制御される。
【００６１】
さらに、図４に示す態様の音声会議を行なう場合には、端末１０Ａの第１，第２音声信号処理部２０５，２０６における切替スイッチ１１〜１４，２１〜２４は、メモリ２０８に記憶された加算パターン２０８Ｄ，２０８Ｋの制御情報に基づいて第１，第２切替設定部２０３，２０４で設定制御される。同様に、端末１０Ｂの切替スイッチ１１〜１４，２１〜２４は、加算パターン２０８Ｇ，２０８Ｎに基づいて設定制御され、端末１０Ｃの切替スイッチ１１〜１４，２１〜２４は、加算パターン２０８Ｅ，２０８Ｌに基づいて設定制御される。
【００６２】
すなわち、設定制御部としての制御部２０１，第１，第２切替設定部２０３，２０４により、送話，受話および他の端末間通信における中継を行なう音声チャンネルの設定を通話モードとして設定制御することにより、縦続接続をなす他の端末毎に、送受話が可能な態様，送話のみが可能な態様，受話のみが可能な態様または送受話を不可とする態様のいずれかの態様の設定とすることができるのである。
【００６３】
〔Ｄ〕本実施形態における無線ＬＡＮ１０による音声会議の招集手法の説明
上述の本実施形態における無線ＬＡＮ１０において、音声会議の招集を各端末へ通知する際には、例えば図７に示すフローチャート（ステップＳ１〜ステップＳ６）に示すようなデータチャンネルを用いた通信が行なわれる。
すなわち、無線ＬＡＮ１０を構成するいずれかの端末（例えば端末１０Ａ）の使用者が音声会議を招集する場合は、例えば図８に示すような会議設定情報５０を制御部２０１にて加算生成して（ステップＳ１）、当該制御部２０１の設定制御情報通知部２０１ａにより、データチャンネルを通じて無線ＬＡＮ１０を構成する他の端末へ送信する（ステップＳ２）。
【００６４】
このとき、上述の設定制御情報通知部２０１ａにて送信される会議設定情報５０としては、例えば図８に示すように、７２ビットのアクセスコード５１，５４ビットのヘッダ情報５２および０〜２７４５ビットの可変長のペイロード５３により構成され、ペイロード５３は更に、無線ＬＡＮ１０を構成する端末毎に、端末識別情報としての端末番号および当該会議へ召集されているか否かの情報からなる端末情報５３ａならびに通話モード情報としての送話（加算）パターン識別情報５３ｂおよび受話（加算）パターン識別情報５３ｃにより構成されている。
【００６５】
ついで、音声会議招集端末から送信された会議設定情報５０は、他の端末における無線通信モジュール１のＲＦ１０１ で受信して（ステップＳ３）、ベースバンド層１０２で抽出し、ホストコントローラインタフェース１０３を介して加算生成処理部２の制御部２０１に出力される。
会議設定データを受信した他の端末１０Ｂ，１０Ｃでは、この会議設定情報５０に含まれる自身の端末情報（自身の端末が音声会議に召集されているか否かの情報および送受話加算パターン）を制御部２０１において抽出する（ステップＳ３）。
【００６６】
ここで、自身の端末が音声会議に召集されている場合は、制御部２０１では、会議設定情報５０に含まれる自身の端末用に設定された送受話加算パターン識別情報５３ｂ，５３ｃに基づいてメモリ２０８を参照することにより、設定すべき通話モードを抽出する。
ついで、制御部２０１からの指示を受けた第１，第２切替設定部２０３，２０４により、設定すべき通話モードとなるように第１，第２音声信号処理部２０５，２０６の動作を設定する。なお、自身の端末が音声会議に召集されていない場合は、当該端末を送話中継及び受話中継に設定する（以上、ステップＳ４のＹＥＳルートからステップＳ５，ステップＳ６）。
【００６７】
このようにして、無線ＬＡＮ１０を構成する各端末の設定が行なわれると、音声会議を開始させることができる。また、音声会議終了後は各無線通信端末の設定を解除する。
さらには、上述のごとく設定された音声会議中において、当該音声会議に参加中の縦続接続された他の一端末における制御部２０１の設定制御情報通知部２０１ａにより、データチャンネルを通じて通知された設定制御情報に基づいて、当該設定制御情報の通知を受けた端末では、当該音声会議のために設定制御されている通話モードを変更部２０１ｂにおいて変更することもできる。
【００６８】
なお、上述の通話モードとして会議設定情報５０に含まれている送受話加算パターン識別情報５３ｂ，５３ｃについては、送受話加算パターンとしての設定情報そのもので構成することとしてもよい。
また、上述の音声会議を招集することができる端末や、音声会議中に通話モードを変更することができる端末には、特別な権限を付与することとしてもよい。即ち、当該権限を有しない端末からは音声会議を招集したり通話モードを変更したりすることができないように設定したり、特定の通話モードによる音声会議の設定や変更のみを許可するように権限を付与することが可能である。
【００６９】
〔Ｅ〕本発明の無線通信端末による効果の説明
このように、本発明の一実施形態にかかる無線通信端末によれば、加算生成処理部２により、縦続接続をなす端末間において設定された所定の通話モードに基づいて、送受話部３にて受話する音声信号である受話信号を加算生成するとともに、無線通信モジュール１を通じて他の無線通信端末に送出すべき送信音声信号を加算生成することができるので、無線通信端末間での音声会議を、サーバ（センタ−装置）や専用の中継装置を設けることなく、無線通信端末のみの構成で実現することができ、音声会議を行なうためのシステム規模を縮小化させ、システム構築のためのコストを大幅に削減させることができる利点がある。
【００７０】
また、無線ＬＡＮ１０を構成する端末のうちで、会議に参加させない端末を設定する場合のために、中継パターン２０８Ｇ，２０８Ｎ（図６参照）を設定することができるので、同一周波数帯を用いた通信を行なう無線通信端末間においても、音声会議に参加する無線通信端末を選択することが可能となり、会議の形式に応じて個別に送受話を規制できるようにして、音声会議の利便性を向上できる利点がある。
【００７１】
さらに、通話モードとしての加算パターンを、送話加算パターン記憶２０８−１にて記憶された複数の送話パターン２０８Ａ〜２０８Ｇ（図６参照）および受話加算パターン記憶２０８−２にて記憶された複数の受話パターン２０８Ｈ〜２０８Ｎ（図６参照）を組み合わせることにより、会議通話、片方向通話、中継通話等の多様な音声会議を実現することが可能になり、利用者に対するサービス向上を図ることができる。
【００７２】
〔Ｆ〕本発明の他の実施形態の説明
図９は本発明の他の実施形態にかかる通信システムを示す模式図であるが、この図９に示す通信システム６０は、無線基地局６２ａ，６２ｂ，６２ｃによる無線ネットワーク６２Ａ，６２Ｂ，６２Ｃが、公衆網（又は中継網）６１を介して相互に接続されて構成されている。また、無線ネットワーク６２Ａ，６２Ｂ，６２Ｃはそれぞれ、移動局としての無線通信端末６２ａ−１，６２ｂ−１，６２ｃ−１を収容している。
【００７３】
さらに、この無線通信端末６２ａ−１とともに、無線通信端末６２ａ−２および無線通信端末６２ａ−３により、Bluetooth規格に従って縦続接続された、前述の図１の場合（符号１０参照）と同様の無線ＬＡＮ６２ａ−４を構成し、無線通信端末６２ｂ−１と無線通信端末６２ｂ−２とにより、図１の場合と同様の無線ＬＡＮ６２ｂ−３を構成する。
【００７４】
各無線通信システム６２ａ−４，６２ｂ−３を構成する無線通信端末６２ａ−１〜６２ａ−３，６２ｂ−１，６２ｂ−２は、前述の図５と同様に、無線通信モジュール１，加算生成処理部２および送受話部３をそなえ、加算生成処理部２により、通話モードに基づいて、送受話部３にて受話する音声信号である受話信号を加算生成するとともに、無線通信モジュール１を通じて他の無線通信端末に送出すべき送信音声信号を加算生成することができるようになっている。
【００７５】
また、無線基地局６２ａに収容された端末６２ａ−１は、自身の端末６２ａ−１において送話された音声信号ａ１とともに、無線ＬＡＮ６２ａ−４を構成する他の端末６２ａ−２，６２ａ−３において送話された音声加算信号ａ２＋ａ３を加算して（ａ１＋ａ２＋ａ３）、基地局６２ａおよび公衆網を介して他の無線ネットワーク６２Ｂ，６２Ｃに対して送信することができるようになっている。
【００７６】
同様に、無線基地局６２ｂに収容された端末６２ｂ−１は、自身の端末６２ｂ−１において送話された音声信号ｂ１とともに、無線ＬＡＮ６２ｂ−３を構成する他の端末６２ｂ−２において送話された音声信号ｂ２を加算して（ｂ１＋ｂ２）、基地局６２ａおよび公衆網を介して他の無線ネットワーク６２Ａ，６２Ｃに対して送信することができるようになっている。
【００７７】
また、各無線基地局６２ａ〜６２ｃに収容された端末６２ａ−１〜６２ｃ−１は、公知の３者通話サービスにより、相互に通話することができるようになっている。
これにより、無線ＬＡＮ６２ａ−４を構成する端末６２ａ−１においては、公衆網６１から受信された他の無線ネットワーク６２Ｂ，６２Ｃに収容された端末６２ｂ−１，６２ｃ−１からの加算された音声信号（ｂ１＋ｂ２）＋ｃ１を受話することができるようになっている。
【００７８】
また、端末６２ａ−２においては、上述の音声信号（ｂ１＋ｂ２）＋ｃ１と、端末６２ａ−１から送話された音声信号ａ１とが加算された音声信号ａ１＋（ｂ１＋ｂ２）＋ｃ１を受話することができる。また、端末６２ａ−３においては、端末６２ａ−２にて端末６２ａ−１から受信した音声信号と、当該端末６２ａ−２にて送話された音声信号ａ２とが加算された音声信号（ａ１＋ａ２）＋（ｂ１＋ｂ２）＋ｃ１を受話することができる。
【００７９】
同様に、無線ＬＡＮ６２ｂ−３を構成する端末６２ｂ−１においては、公衆網６１から受信された他の無線ネットワーク６２Ａ，６２Ｃに収容された端末６２ａ−１，６２ｃ−１からの加算された音声信号（ａ１＋ａ２＋ａ３）＋ｃ１を受話することができるようになっている。また、端末６２ｂ−２においては、上述の音声信号（ａ１＋ａ２＋ａ３）＋ｃ１と、端末６２ｂ−１から送話された音声信号ｂ１とが加算された音声信号（ａ１＋ａ２＋ａ３）＋ｂ１＋ｃ１を受話することができる。
【００８０】
さらに、無線ＬＡＮ６２ｃを構成する端末６２ｃ−１においては、公衆網６１から受信された他の無線ネットワーク６２Ａ，６２Ｂに収容された端末６２ａ−１，６２ｂ−１からの加算された音声信号（ａ１＋ａ２＋ａ３）＋（ｂ１＋ｂ２）を受話することができるようになっている。
なお、このような図９に示す形式で音声会議を実施する場合においても、前述の図７のフローチャートのステップＳ１〜Ｓ６に従って、会議を招集することができるが、公衆網６１を介して接続されている他の無線ＬＡＮに対して音声会議を招集する際には、例えば、会議招集元の無線通信端末を構成する無線ＬＡＮに含まれる端末６１ａ−１〜６１ｃ−１から、会議設定情報を拡散させて送信する。この会議設定情報については、前述の会議設定情報５０のペイロード５３に、当該他の無線ＬＡＮに対して音声会議を招集する旨の信号を含ませて構成する。
【００８１】
このように、図９に示す実施形態によれば、上述の〔Ｅ〕と同様の利点があるほか、公衆網を介することにより、他の無線ＬＡＮを構成する端末同士においても音声会議を行なうことができるので、無線ＬＡＮの音声会議機能を拡張させることができ、利用者の便宜をさらに図ることができる利点がある。
〔Ｇ〕その他
上述の図５に示す無線通信端末１０Ａ〜１０Ｃにおいて、加算生成処理部２としての機能を、例えばＡＳＩＣ(Application Specific Integrated Circuit)等のハードウェアにより一体に収容した構成とすることもできる。また、制御部２０１，第１，第２切替設定部２０３，２０４としての機能は分離して構成されているが、これに限定されず、一体に構成することも、もちろん可能である。
【００８２】
また、制御部２０１としての機能を、例えばメモリ２０８に記憶されたプログラムを実行しうるプロセッサにより構成することとしてもよい。
さらに、上述の本実施形態においては、無線ＬＡＮ１０を３台の無線通信端末１０Ａ〜１０Ｃを縦続接続して構成しているが、本発明によればこれに限定されず、例えば４台以上の無線通信端末を縦続接続して構成しても、もちろん実施することができる。
【００８３】
また、上述の本実施形態における無線通信端末１０Ａ〜１０Ｃは、２つの音声チャンネルおよび１つのデータチャンネルを有しているが、本発明によればこれに限定されず、３つ以上の音声チャンネルを有する無線通信端末においても、少なくとも２つの音声チャンネルおよび１つのデータチャンネルを用いることにより本発明を実施することは可能である。
【００８４】
〔Ｈ〕付記
（付記１）  ２チャンネルの音声チャンネルとともにデータチャンネルを設定しうる無線通信端末が、接続先の端末ごとに少なくとも１チャンネルの音声チャンネルおよびデータチャンネルを通じて接続することにより、少なくとも３台の端末を縦続接続して相互に通話を行ないうる無線通信端末であって、
前記の音声チャンネルおよびデータチャンネルを通じて、音声信号およびデータ信号を接続先の端末との間でそれぞれ送受する無線通信部と、
前記相互通話のための、音声信号の受話とともに送話を行なう送受話部と、
前記の無線通信部と送受話部との間に介装され、前記縦続接続をなす端末間において設定された所定の通話モードに基づいて、該送受話部にて受話する音声信号である受話信号を加算生成するとともに、該無線通信部を通じて他の無線通信端末に送出すべき送信音声信号を加算生成する加算生成処理部と、
をそなえて構成されたことを特徴とする、無線通信端末。
【００８５】
（付記２）  該加算生成処理部が、
該無線通信部との間の前記２チャンネルの音声信号のインターフェイス処理を行なうインターフェイス処理部と、
該送受話部にて送話された音声信号を２チャンネルの音声信号に分離する送話音声分離部と、
該インターフェイス処理部からの前記２チャンネルの音声信号および該送話音声分離部からの音声信号を用いた音声加算処理を行ない、チャンネル毎に受話用及び送信用の音声信号を加算生成する音声信号処理部と、
該音声信号処理部からの２チャンネルの受話用の音声信号について加算し、前記受話信号として該送受話部へ出力しうる受話音声加算部と、
該音声信号処理部にて前記の受話用および送信用の音声信号の加算生成するための設定制御情報を予め記憶しておく記憶部と、
該記憶部にて記憶された設定制御情報に基づき、所定の通話モードで前記音声通話を行なうべく該音声信号処理部を設定制御する設定制御部と、
をそなえて構成されたことを特徴とする、付記１記載の無線通信端末。
【００８６】
（付記３）  該設定制御部が、前記の送話，受話および他の端末間通信における中継を行なう音声チャンネルの設定を前記通話モードとして設定制御することにより、前記の縦続接続をなす他の端末毎に、前記の送話および受話が可能な態様，送話のみが可能な態様，受話のみが可能な態様，または送話および受話を不可とする態様のいずれかの態様の設定とすべく構成されていることを特徴とする、付記２記載の無線通信端末。
【００８７】
（付記４）  該設定制御部が、前記縦続接続された各端末の設定制御部における設定制御情報を、前記データチャンネルを通じて前記縦続接続をなす他の端末に対して通知する設定制御情報通知部をそなえて構成されたことを特徴とする、付記２記載の無線通信端末。
（付記５）  該設定制御部が、前記縦続接続された他の一端末から前記データチャンネルを通じて通知された設定制御情報に基づいて、当該設定制御部にて設定制御されている前記通話モード変更する変更部をそなえて構成されたことを特徴とする、付記２記載の無線通信端末。
【００８８】
（付記６）  該音声信号処理部が、
該設定制御部における切替設定の制御に基づいて、前記２チャンネルの音声信号のうちの第２の音声チャンネルを通じて送出すべき第２送信音声信号を加算生成する送信音声信号加算生成部をそなえるとともに前記２チャンネルの音声信号のうちの第１の音声チャンネルを通じて受信された音声信号を該送受話部にて受話させるか否かを切り替える受話切替部をそなえてなる第１音声信号処理部と、該設定制御部における切替設定の制御に基づいて、前記２チャンネルの音声信号のうちの第１の音声チャンネルを通じて送出すべき第１送信音声信号を加算生成する送信音声信号加算生成部とともに前記第２の音声チャンネルを通じて受信された音声信号を該送受話部にて受話させるか否かを切り替える受話切替部をそなえてなる第２音声信号処理部と、
をそなえて構成されたことを特徴とする、付記２記載の無線通信端末。
【００８９】
（付記７）  該第１音声信号処理部における送信音声信号加算生成部が、該設定制御部における切替設定の制御に基づいて、該送話音声分離部にて分離された音声信号を前記送信音声信号として送信させるか否かを切り替える送話切替部と、前記第１の音声チャンネルを通じて受信された音声信号を前記送信音声信号として送信させるか否かを切り替えるチャンネル音声切替部と、上記の送話切替部およびチャンネル音声切替部からの音声信号について加算し前記第２送信音声信号として出力しうる送信音声加算部とをそなえる一方、
該第２音声信号処理部における送信音声信号加算生成部が、該設定制御部における切替設定の制御に基づいて、該送話音声分離部にて分離された音声信号を前記送信音声信号として送信させるか否かを切り替える送話音声切替部と、前記第２の音声チャンネルを通じて受信された音声信号を前記送信音声信号として送信させるか否かを切り替えるチャンネル音声切替部と、上記の送話音声切替部およびチャンネル音声切替部からの音声信号について加算し前記第１送信音声信号として出力しうる送信音声加算部とをそなえて構成されたことを
特徴とする、付記６記載の無線通信端末。
【００９０】
（付記８）  該設定制御部が、該第１音声信号処理部の処理について切替設定する第１切替設定部と、該第２音声信号処理部の処理について切替設定する第２切替設定部と、該記憶部にて記憶された制御情報に基づいて上記の第１切替設定部および第２切替設定部における設定を制御する制御部とをそなえて構成されたことを特徴とする、付記２，６または７のいずれか一項記載の無線通信端末。
【００９１】
【発明の効果】
以上詳述したように、本発明の無線通信端末によれば、加算生成処理部により、縦続接続をなす端末間において設定された所定の通話モードに基づいて、送受話部にて受話する音声信号である受話信号を加算生成するとともに、無線通信モジュールを通じて他の無線通信端末に送出すべき送信音声信号を加算生成することができるので、無線通信端末間での音声会議を、サーバ（センタ装置）や専用の中継装置を設けることなく、無線通信端末のみの構成で実現することができ、音声会議を行なうためのシステム規模を縮小化させ、システム構築のためのコストを大幅に削減させることができる利点があるほか、会議の形式に応じて個別に送受話を規制できるようにして、音声会議の利便性を向上できる利点がある。
【図面の簡単な説明】
【図１】  本発明の一実施形態にかかる無線通信端末を適用した無線通信システムとしての無線ＬＡＮを示す図である。
【図２】本実施形態における無線ＬＡＮにおいて実現する音声会議形式の態様を模式的に示す図である。
【図３】本実施形態における無線ＬＡＮにおいて実現する音声会議形式の態様を模式的に示す図である。
【図４】本実施形態における無線ＬＡＮにおいて実現する音声会議形式の態様を模式的に示す図である。
【図５】本実施形態にかかる無線通信端末の詳細な構成について示す図である。
【図６】本実施形態にかかる無線通信端末の詳細な構成について示す図である。
【図７】本実施形態における無線ＬＡＮによる音声会議の招集手法を説明するためのフローチャートである。
【図８】音声会議を招集する場合に送信される会議設定情報を示す図である。
【図９】本発明の他の実施形態にかかる通信システムを示す模式図である。
【符号の説明】
１  無線通信モジュール
２  加算生成処理部
３  送受話部
１０  無線ＬＡＮ
１０Ａ〜１０Ｃ  端末
１１〜１４，２１〜２４  切替スイッチ
１５，２５  加算部
３１，３２  音声チャンネル
４１〜４３  加算機能部
５０  会議設定情報
５１  アクセスコード
５２  ヘッダ
５３  ペイロード
５３ａ  端末情報
５３ｂ  送話加算パターン
５３ｃ  受話加算パターン
６０  通信システム
６１  公衆網
６２Ａ〜６２Ｃ  無線ネットワーク
６２ａ〜６２ｃ  無線基地局
６２ａ−１〜６２ａ−３，６２ｂ−１，６２ｂ−２，６２ｃ−１  無線通信端末
６２ａ−４，６２ｂ−３  無線ＬＡＮ
１０１  ＲＦ部
１０２  ベースバンド信号部
１０３  ホストコントローラインタフェース
１０４  音声信号部
２０１  制御部
２０１ａ  設定制御情報通知部
２０１ｂ  変更部
２０２  チャンネル変換部
２０３  第１切替設定部
２０４  第２切替設定部
２０５  第１音声信号処理部
２０５ａ，２０６ａ  送信音声信号加算生成部
２０５ｂ，２０６ｂ  受話切替部
２０６  第２音声信号処理部
２０７  受話音声加算部
２０８  メモリ
２０８−１  送話加算パターン記憶部
２０８−２  受話加算パターン記憶部
２０８Ａ〜２０８Ｎ  加算パターン
２０９  送話音声分離部
３０１，３０１Ａ〜３０１Ｃ  送話部
３０２，３０２Ａ〜３０２Ｃ  受話部
【図１】
0003860056.tif 000002
【図２】
0003860056.tif 000003
【図３】
0003860056.tif 000004
【図４】
0003860056.tif 000005
【図５】
0003860056.tif 000006
【図６】
0003860056.tif 000007
【図７】
0003860056.tif 000008
【図８】
0003860056.tif 000009
【図９】
0003860056.tif 000010